(57)【要約】【課題】  費用が掛からず、多種形態の家具に自由に変更することができ、用途、配置を自由に変更することができるシステム家具を提供する。【解決手段】  矩形枠体２の底面にキャスター８を固設し、内側に収納部７を画成した載置台車１と、この載置台車１に載置自在とした複数種類の家具構成部材と、からシステム家具を構成する。矩形枠体２は、木製であって、平面から視て正方形状を呈することを特徴とする。家具構成部材は、矩形枠体２に嵌合することによって、載置、一体化されるのが好ましい。家具構成部材は、木製天板１１、畳部材１６、ガラス製天板２１、座面クッション２６、背付クッション３１、ベッド５１であってもよい。【選択図】  図１１
2017200524.tif 000002
【特許請求の範囲】
【請求項１】
矩形枠体の底面にキャスターを固設し、内側に収納部を画成した載置台車と、この載置台車に載置自在とした複数種類の家具構成部材と、から構成されることを特徴とするシステム家具。
【請求項２】
前記矩形枠体は、平面から視て正方形状を呈することを特徴とする請求項１に記載のシステム家具。
【請求項３】
前記矩形枠体は、木製であることを特徴とする請求項１又は２に記載のシステム家具。
【請求項４】
前記家具構成部材は、前記矩形枠体に嵌合することによって、載置され、一体化されることを特徴とする請求項１乃至３の何れか１に記載のシステム家具。
【請求項５】
前記載置台車は、複数連結可能であることを特徴とする請求項１乃至４の何れか１に記載のシステム家具。
【請求項６】
前記家具構成部材は、木製天板又はガラス製天板であることを特徴とする請求項１乃至５の何れか１に記載のシステム家具。
【請求項７】
前記家具構成部材は、畳部材であることを特徴とする請求項１乃至５の何れか１に記載のシステム家具。
【請求項８】
前記家具構成部材は、座面クッションであることを特徴とする請求項１乃至５の何れか１に記載のシステム家具。
【請求項９】
前記家具構成体は、背付クッションであることを特徴とする請求項１乃至５の何れか１に記載のシステム家具。
【請求項１０】
前記家具構成部材は、マットレスであることを特徴とする請求項５に記載のシステム家具。
【発明の詳細な説明】
【技術分野】
【０００１】
本発明は、マンション、アパートの居住室、エントランスホール、ラウンジ、パブリックスペース、オフィスのリフレッシュコーナー等において、居住者、管理者等が自身の趣向によって、種々形態の家具を構成して、自由に配置できるようにしたシステム家具に関する。
【背景技術】
【０００２】
従来、マンション、アパートの居住室、エントランスホール、ラウンジ、パブリックスペース、オフィスのリフレッシュコーナー等の居住者、管理者等は、その居住室、休憩室、又はリフレッシュコーナー等に、テーブル、チェア、ソファ、スツール等の家具を適宜選択し、適宜配置している。
【０００３】
しかし、多種類の家具を揃えるのは費用が掛かるし、居住室、ラウンジ等の室内面積が狭いと多種類の家具を配置することができない。又、会議、休憩等の用途や室内の雰囲気を変えるため、家具の種類、配置を替えたいと思うこともある。
【０００４】
そこで、それほど費用が掛からず、又、室内面積が狭い場合でも、適宜家具の種類、配置を容易に替えることができるように、複数の機能を実現できるようにした家具が提案されている（例えば、特許文献１又は２を参照）。
【０００５】
特許文献１に記載されたソファベッド１は、背面部７１とマットレス５１を回動可能としたソファ２と、テーブル６と、から構成したものであって、背面部７１とマットレス５１を起立させれば、ソファとテーブル６を構成することができ、背面部７１とマットレス５１を回動させて倒伏させ、テーブル６の上面に載置させれば、ベッドを構成することができる。
【０００６】
特許文献２に記載されたベンチ変換テーブルは、テーブル１の天板部１１の両側に回動可能な連結脚部４，５を介して座板部２１，３１を連結したものであって、連結脚部４，５を起立させれば、テーブル１とベンチ２，３を構成することができ、連結脚部５を回動させて倒伏させれば、テーブル１の天板部１１を背面部とし、座板部２１，３１を座面部とするベンチを構成することができる。
【先行技術文献】
【特許文献】
【０００７】
【特許文献１】特表２０１５−５２２３０９号公報
【特許文献２】実用新案登録第３２０２７６５号公報
【発明の概要】
【発明が解決しようとする課題】
【０００８】
しかし、特許文献１に記載されたものは、ソファ、テーブル及びベッドという３種類の機能を果たせるだけであり、特許文献２に記載されたものも、ベンチ、テーブル及び背板付きベンチという３種類の機能を果たせるだけである。
【０００９】
よって、特許文献１及び２に記載されたものは、それほど費用は掛からないとしても、多種形態の家具に自由に変更することができず、しかも、多種形態の家具を自由に配置することもできないものであった。
【００１０】
本発明は、かかる問題点を解決するために為されたものであって、それほど費用が掛からず、多種形態の家具に自由に変更することができ、しかも、多種形態の家具を自由に配置し、用途や雰囲気を変えることができるシステム家具を提供することを目的とする。
【課題を解決するための手段】
【００１１】
上記目的を達成するために、本発明のシステム家具は、矩形枠体の底面にキャスターを固設し、内側に収納部を画成した載置台車と、この載置台車に載置自在とした複数種類の家具構成部材と、から構成されることを特徴とする。
【００１２】
前記矩形枠体は、平面から視て正方形状を呈することを特徴とする。
【００１３】
前記矩形枠体は、木製であることを特徴とする。
【００１４】
前記家具構成部材は、前記矩形枠体に嵌合することによって、載置され、一体化されるのが好ましい。
【００１５】
前記載置台車は、複数連結可能であることを特徴とする。
【００１６】
前記家具構成部材は、木製天板又はガラス製天板であってもよい。
【００１７】
前記家具構成部材は、畳部材であってもよい。
【００１８】
前記家具構成部材は、座面クッション又は背付クッションであってもよい。
【００１９】
前記家具構成部材は、マットレスであってもよい。
【発明の効果】
【００２０】
本発明のシステム家具は、載置台車に種々形態の家具構成部材を載置するだけで、極めて容易に多種形態の家具を構成することができるから、比較的安価な費用で多種類の家具を揃えることができ、しかも、居住者、管理者等が自身の趣向によって、種々家具を自由に選択し、短時間のうちに、容易に配置、用途及び模様替えすることができる。
【００２１】
又、載置台車は複数体を積載して保管することができ、種々形態の家具構成部材も壁面に立て掛けて保管することができるから、居住室、休憩室の部屋面積が狭くとも、保管に場所をとらない。
【００２２】
又、載置台車にはキャスターを固設してあるから、腕力の弱い女性、子供であっても、容易に種々家具を移動することができ、配置替えすることができる。
【００２３】
さらに、載置台車の内側は収納部としてあるから、種々小物、雑貨類を効率的に収納することができて、居住室、休憩室の整理、整頓が容易となる。
【図面の簡単な説明】
【００２４】
【図１】本発明のシステム家具を構成する載置台車の（Ａ）は平面図、（Ｂ）は正面図、（Ｃ）は右側面図である。
【図２】本発明のシステム家具を構成する木製天板の（Ａ）は平面図、（Ｂ）は正面図である。
【図３】本発明のシステム家具を構成する畳部材の（Ａ）は平面図、（Ｂ）は正面図である。
【図４】本発明のシステム家具を構成するガラス製天板の（Ａ）は平面図、（Ｂ）は正面図である。
【図５】本発明のシステム家具を構成する座面クッションの（Ａ）は平面図、（Ｂ）は正面図である。
【図６】本発明のシステム家具を構成する背付クッションの（Ａ）は平面図、（Ｂ）は正面図である。
【図７】載置台車に木製天板を載置した状態の（Ａ）は平面図、（Ｂ）は正面図である。
【図８】載置台車に畳部材を載置した状態の（Ａ）は平面図、（Ｂ）は正面図である。
【図９】載置台車にガラス製天板を載置した状態の（Ａ）は平面図、（Ｂ）は正面図である。
【図１０】載置台車に座面クッションを載置した状態の（Ａ）は平面図、（Ｂ）は正面図である。
【図１１】載置台車に背付クッションを載置した状態の（Ａ）は平面図、（Ｂ）は正面図である。
【図１２】収容容器の（Ａ）は平面図、（Ｂ）は正面図である。
【図１３】載置台車に収容容器を収容した状態の（Ａ）は平面図、（Ｂ）は一部切断正面図である。
【図１４】本発明のシステム家具を構成するマットレスの（Ａ）は平面図、（Ｂ）は正面図である。
【図１５】載置台車を２体連結してマットレスを載置した状態の（Ａ）は平面図、（Ｂ）は正面図である。
【図１６】パブリックスペースにおいて、本発明のシステム家具を構成して、配置した状態を示す平面図である。
【発明を実施するための形態】
【００２５】
以下、本発明のシステム家具の好適な実施形態について、図面を参照しつつ詳細に説明する。
【００２６】
本発明のシステム家具は、載置台車１と複数種類及び形態の家具構成部材とから構成される。
【００２７】
載置台車１は、図１に示すように、矩形枠体２の底面部にキャスター８，８，８，８を固設して成る。
【００２８】
矩形枠体２は、木製であって、側面部３，３，３，３及び底面部４から成り、平面から視て、各辺の長さがＬ１×Ｌ１の正方形状を呈するものである。又、側面部３の高さはＨ１としてある。
尚、Ｔ１は、側面部３の厚さである。
【００２９】
又、側面部３の内側には全周に亘って段差部５を形成してあり、この段差はＤ１としてある。そして、段差部５の外周の各辺の長さはＬ２としてある。
【００３０】
又、矩形枠体２の内側部には縦横方向に直交する仕切部６，６を配設してあり、これによって、矩形枠体２の内側部に４個所の収納部７，７，７，７を画成してある。
ここで、収納部７は、平面から視て、各辺の長さがＬ３×Ｌ３の正方形状を呈し、その深さはＤ３としてある。
【００３１】
キャスター８，８，８，８は、矩形枠体２の底面部４の四隅部に固設してあり、ストッパー９，９，９，９を備えている。
【００３２】
よって、ストッパー９を作動させないときは、キャスター８は転動可能であって、載置台車１を自由に移動させることができる。一方、ストッパー９を作動させたときは、キャスター８は転動不能となって、載置台車１を固定させることができる。
【００３３】
家具構成部材は、前記載置台車１に載置させて、最終的に所定形態の家具を構成する部材であって、図２乃至６に示すように、木製天板１１、畳部材１６、ガラス製天板２１、座面クッション２６、背付クッション３１等から成る。
【００３４】
木製天板１１は、図２に示すように、木製であって、平面から視て、各辺の長さがＬ１×Ｌ１の正方形状を呈し、板状部１２及び嵌合部１３から成っている。そして、板状部１２は、その表面に木目模様を形成してある。
【００３５】
ここで、嵌合部１３は、各辺の長さがＬ２′×Ｌ２′の正方形状を呈し、その厚さはＤ１としてあり、前記矩形枠体２の段差部５に嵌合できるようになっている。又、各辺において、板状部１２と嵌合部１３との距離差をＴ１としてある。
【００３６】
畳部材１６は、図３に示すように、平面から視て、各辺の長さがＬ１×Ｌ１の正方形状を呈し、畳状部１７及び嵌合部１８から成っている。そして、畳状部１７は、畳を構成する材料から成形してある。
【００３７】
ここで、嵌合部１８は、各辺の長さがＬ２′×Ｌ２′の正方形状を呈し、その厚さはＤ１としてあり、前記矩形枠体２の段差部５に嵌合できるようになっている。又、各辺において、畳状部１７と嵌合部１８との距離差をＴ１としてある。
【００３８】
ガラス製天板２１は、図４に示すように、ガラス製であって、平面から視て、各辺の長さがＬ２′×Ｌ２′の正方形状を呈する板状部２２から成っている。そして、板状部２２の厚さはＤ１としてあり、前記矩形枠体２の段差部５に嵌合できるようになっている。
【００３９】
座面クッション２６は、図５に示すように、平面から視て、各辺の長さがＬ１×Ｌ１の正方形状を呈し、クッション部２７及び嵌合部２８から成っている。そして、クッション部２７は、内部の弾性部材を表面の皮革、布地等で被覆したものとしてある。
【００４０】
ここで、嵌合部２８は、各辺の長さがＬ２′×Ｌ２′の正方形状を呈し、その厚さはＤ１としてあり、前記矩形枠体２の段差部５に嵌合できるようになっている。又、各辺において、クッション部２７と嵌合部２８との距離差をＴ１としてある。
【００４１】
背付クッション３１は、図６に示すように、平面から視て、各辺の長さがＬ１×Ｌ１の正方形状を呈し、クッション部３２及び嵌合部３３から成っている。そして、クッション部３２は、内部の弾性部材を表面の皮革、布地等で被覆したものとしてある。
【００４２】
ここで、嵌合部３３は、各辺の長さがＬ２′×Ｌ２′の正方形状を呈し、その厚さはＤ１としてあり、前記矩形枠体２の段差部５に嵌合できるようになっている。又、各辺において、クッション部３２と嵌合部３３との距離差をＴ１としてある。
【００４３】
本発明のシステム家具は、以上説明したように、前記載置台車１と複数種類及び形態の家具構成部材とから構成され、以下のようにして使用される。
【００４４】
前記載置台車１の矩形枠体２の上端面に前記木製天板１１の板状部１２を載置すれば、図７に示すように、嵌合部１３が段差部５に嵌合して、テーブル又は舞台・板敷小上がりパーツ１１１を構成することができる。
【００４５】
前記載置台車１の矩形枠体２の上端面に前記畳部材１６の畳状部１７を載置すれば、図８に示すように、嵌合部１８が段差部５に嵌合して、畳敷小上がりパーツ１１６を構成することができる。
【００４６】
前記載置台車１の矩形枠体２の上端部に前記ガラス製天板２１の板状部２２を載置すれば、図９に示すように、板状部２２が段差部５に嵌合して、収納部７，７，７，７を透視できるテーブル１２１を構成することができる。
【００４７】
前記載置台車１の矩形枠体２の上端面に前記座面クッション２６のクッション部２７を載置すれば、図１０に示すように、嵌合部２８が段差部５に嵌合して、オットマン１２６を構成することができる。
【００４８】
前記載置台車１の矩形枠体２の上端面に前記背付クッション３１のクッション部３２を載置すれば、図１１に示すように、嵌合部３３が段差部５に嵌合して、ソファ１３１を構成することができる。
【００４９】
前記載置台車１の矩形枠体２の上端面に何れの前記家具構成部材も載置しなければ、図１３に示すように、上側を開口部とした収納枠体１００として使用することができる。
【００５０】
ここで、図１２に示すような収容容器４１を使用することもできる。この収容容器４１は、ステンレス製であって、側面部４２，４２，４２，４２及び底面部４３から成り、平面から視て、各辺の長さがＬ３′×Ｌ３′の正方形状を呈し、側面部４２の高さはＤ３としてある。
【００５１】
前記収容容器４１は、図１３に示すように、矩形枠体２の各収納部７に嵌挿される形状及び寸法に形成してあるから、これに土壌Ｓを充填し、適宜植物Ｐを植生させれば、観賞用として使用することができる。又、ポット植えの植物を並べて、観賞用として使用することができる。
【００５２】
本発明のシステム家具は、載置台車１を縦横に複数体連結し、これに適宜形態の家具構成部材を載置することによって、種々形態の家具を構成することもできる。
【００５３】
例えば、図１４に示すように、長方形状を呈するマットレス５１を家具構成部材として採用することができる。
マットレス５１は、図１４に示すように、平面から視て、短辺の長さがＬ１、長辺の長さが２×Ｌ１の長方形状を呈し、マットレス部５２及び嵌合部５３から成っている。そして、マットレス部５２は、内部の弾性部材を表面の布地等で被覆したものとしてある。
【００５４】
ここで、嵌合部５３，５３，５３，５３は、その厚さはＤ１としてあるが、短辺方向の
嵌合部５３，５３間の距離をＬ２′、長辺方向の嵌合部５３，５３間の距離を２×Ｌ１−２×Ｔ1としてある。そして、連結した２体の載置台車１，１の矩形枠体２，２の段差部５，５に嵌合できるようになっている。
【００５５】
先ず、２体の載置台車１，１の矩形枠体２，２の側面同士を密接させ、各載置台車１，１のストッパー９，９を作動させれば、キャスター３が移動不能状態となるから、２体の載置台車１，１を連結することができる。
【００５６】
次に、載置台車１，１の矩形枠体２，２の上端面に前記マットレス５１のマットレス部５２を載置すれば、図１５に示すように、嵌合部５３，５３が段差部５，５に嵌合して、ベッド１５１を構成することができる。
【００５７】
さらに、図１６に示すように、パブリックスペース２００において、前記システム家具を適宜組み合せれば、洋風の打合せ室２０１、和風の小上がり２０２、和風の会合部屋２０３、簡易舞台２０４、着付場所２０５等を構成することができる。
尚、図１６において、２１１は壁面部、２１２は区画ブースを示している。
【００５８】
以上のように、本発明のシステム家具によれば、載置台車１に種々形態の家具構成部材を載置するだけで、極めて容易に多種形態の家具を構成することができる。
【００５９】
よって、比較的安価な費用で多種類の家具を揃えることができ、しかも、居住者、管理者自身が、自身の趣向によって、種々家具を自由に選択し、短時間のうちに、容易に配置替えすることができる。
【００６０】
又、載置台車１は複数体を積載して保管することができ、種々形態の家具構成部材も壁面に立て掛けて保管することができるから、居住室、ラウンジ等の室内面積が狭くとも、保管に場所をとらない。
【００６１】
又、載置台車１にはキャスター８を固設してあるから、腕力の弱い女性、子供であっても、容易に種々家具を移動することができ、配置替えすることができる。
【００６２】
さらに、載置台車１の内側は収納部７としてあるから、種々小物、雑貨類を効率的に収納することができて、居住室、ラウンジ等の整理、整頓が容易となる。
【００６３】
又、載置台車１を縦横に当接し、ストッパー９でキャスター８を移動不能とすれば、載置台車１を縦横に連結できて、より広い面積の家具等を構成することもできる。
【００６４】
上記の説明において、家具構成部材を具体的に例示したが、これらに限定されるものではなく、載置台車１に載置して家具を構成できるものであれば、種々形態、種類の家具構成部材を採用することができる。使用する材料も適宜採用することができる。
【００６５】
又、載置台車１と家具構成部材との一体化に嵌合という形態を採用したが、これに限定されるものではなく、ピンと挿通孔とによるピン結合としてもよく、連結部材を使用してリンク結合としてもよい。
【符号の説明】
【００６６】
１  載置台車
２  矩形枠体
３  側面部
５  段差部
７  収納部
８  キャスター
１１  木製天板
１３  嵌合部
１６  畳部材
１３  嵌合部
２１  ガラス製天板
２６  座面クッション
２８  嵌合部
３１  背付クッション
３３  嵌合部
５１  マットレス
５３  嵌合部
１００  収納枠体
１１１  テーブル又は舞台・板敷小上がりパーツ
１１６  畳敷小上がりパーツ
１２１  テーブル
１２６  オットマン
１３１  ソファ
１５１  ベッド
【図１】
2017200524.tif 000003
【図２】
2017200524.tif 000004
【図３】
2017200524.tif 000005
【図４】
2017200524.tif 000006
【図５】
2017200524.tif 000007
【図６】
2017200524.tif 000008
【図７】
2017200524.tif 000009
【図８】
2017200524.tif 000010
【図９】
2017200524.tif 000011
【図１０】
2017200524.tif 000012
【図１１】
2017200524.tif 000013
【図１２】
2017200524.tif 000014
【図１３】
2017200524.tif 000015
【図１４】
2017200524.tif 000016
【図１５】
2017200524.tif 000017
【図１６】
2017200524.tif 000018